(57)【要約】【課題】　磁束の集中現象を防止することによって磁束集中に伴う高調波成分の除去が可能な圧縮機用誘導電動機の固定子巻線方法を提供する。【解決手段】　本発明は主巻線と補助巻線とを固定子の隣接するスロットを経由するように一定の規則に従って集中巻状に巻回し、少なくとも２つ以上の任意のスロットで前記主巻線と補助巻線とが重畳されるよう巻回することを特徴とする。主巻線と補助巻線とが重なって巻回される重畳部は、単相２極８スロットの場合は４ヶ所、単相２極１２スロットの場合は８ヶ所、単相２極１６スロットの場合は４ヶ所または１２ヶ所、単相４極１２スロットの場合４ヶ所、そして３相２極１２スロットの場合は６ヶ所である。これによれば、主巻線と補助巻線が該当するスロットに集中して巻線されず、要求されるいくつかのスロットで重畳し巻線されるので、従来のような集中現象が生じない。【選択図】　　　図８
2004120997.tif 000002
【特許請求の範囲】
【請求項１】
　主巻線及び補助巻線を固定子に形成された多数のスロットに巻回する圧縮機用誘導電動機の固定子巻線方法において、
　前記主巻線と補助巻線とを固定子の隣接するスロットを経由するように一定の規則に従って集中巻状に巻回し、少なくとも２つ以上の任意のスロットで前記主巻線と補助巻線とが重畳されるよう巻回することを特徴とする圧縮機用誘導電動機の固定子巻線方法。
【請求項２】
　単相２極８スロットタイプの誘導電動機の固定子に形成された８個の前記スロットに主巻線と補助巻線とを巻回する誘導電動機の固定子巻線方法において、
　前記主巻線と補助巻線とを、最初に引入されるスロットを基準にして隣接された３個のスロットを順次に経由するよう一定の規則に従って巻回し、４個の固定子スロットで前記主巻線と補助巻線とが重畳されるよう巻回することを特徴とする圧縮機用誘導電動機の固定子巻線方法。
【請求項３】
　前記主巻線は、２ｃ番目スロットに引入されて３ｄ番目、３ｅ番目、４ｆ番目、４ｇ番目、５ｈ番目、６ｋ番目、７ｌ番目、７ｍ番目、８ｎ番目、８ｏ番目、及び１ｐ番目スロットの順に巻回され、前記補助巻線は４ｇ番目のスロットに引入されて５ｈ番目、５ｉ番目、６ｊ番目、６ｋ番目、７ｌ番目、８ｏ番目、１ｐ番目、１ａ番目、１ｂ番目、２ｃ番目、及び３ｄ番目スロットの順に巻回されることを特徴とする請求項２に記載の圧縮機用誘導電動機の固定子巻線方法。
【請求項４】
　前記２ｃ、３ｄ番目スロットとの間で巻回される主巻線の巻回回数と、前記３ｅ番目及び４ｆ番目スロットとの間で巻回される主巻線の巻回回数、及び４ｇ、５ｈ番目スロットとの間で巻回される主巻線の巻回回数の比率は０．７５：１：０．７５であることを特徴とする請求項３に記載の圧縮機用誘導電動機の固定子巻線方法。
【請求項５】
　単相２極１２スロットタイプの誘導電動機の固定子に形成された１２個の前記スロットに主巻線と補助巻線とを巻回する誘導電動機の固定子巻線方法において、
　前記主巻線と補助巻線とを、最初に引入されるスロットを基準にして隣接された５個のスロットを順次に経由するよう一定の規則に従って巻回し、８個の固定子スロットで前記主巻線と補助巻線とが重畳されるよう巻回することを特徴とする圧縮機用誘導電動機の固定子巻線方法。
【請求項６】
　前記主巻線は、１ａ番目のスロットに引入されて２ｂ番目、２ｃ番目、３ｄ番目、３ｅ番目、４ｆ番目、４ｇ番目、５ｈ番目、５ｉ番目、６ｊ番目、７ｍ番目、８ｎ番目、８ｏ番目、９ｐ番目、９ｑ番目、１０ｒ番目、１０ｓ番目、１１ｔ番目、１１ｕ番目、及び１２ｖ番目のスロットの順に巻回され、前記補助巻線は４ｇ番目のスロットに引入されて５ｇ番目、５ｉ番目、６ｊ番目、６ｋ番目、７ｌ番目、７ｍ番目、８ｎ番目、８ｏ番目、９ｐ番目、１０ｓ番目、１１ｔ番目、１１ｕ番目、１２ｖ番目、１２ｗ番目、１ｘ番目、１ａ番目、２ｂ番目、２ｃ番目及び３ｄ番目スロットの順に巻回されることを特徴とする請求項５に記載の圧縮機用誘導電動機の固定子巻線方法。
【請求項７】
　前記１ａ、２ｂ番目スロットとの間で巻回される主巻線の巻回回数と、前記２ｃ、３ｄ番目スロットとの間で巻回される主巻線の巻回回数と、前記３ｅ番目及び４ｆ番目スロットとの間で巻回される主巻線の巻回回数と、４ｇ、５ｈ番目スロットとの間で巻回される主巻線の巻回回数と、５ｉ、６ｊ番目スロットとの間で巻回される主巻線の巻回回数の比率は０．３５：０．７５：１：０．７５：０．３５であることを特徴とする請求項６に記載の圧縮機用誘導電動機の固定子巻線方法。
【請求項８】
　単相２極１６スロットタイプの誘導電動機の固定子に形成された１６個の前記スロットに主巻線と補助巻線とを巻回する誘導電動機の固定子巻線方法において、
　前記主巻線と補助巻線とを、最初に引入されるスロットを基準にして隣接された７個のスロットを順次に経由するよう一定の規則に従って巻回し、１２個の固定子スロットで前記主巻線と補助巻線とが重畳されるよう巻回することを特徴とする圧縮機用誘導電動機の固定子巻線方法。
【請求項９】
　前記主巻線は、５ｉ番目のスロットに引入されて６ｊ番目、６ｋ番目、７ｌ番目、７ｍ番目、８ｎ番目、８ｏ番目、９ｐ番目、９ｑ番目、１０ｒ番目、１０ｓ番目、１１ｔ番目、１１ｕ番目、１２ｖ番目、１３ｙ番目、１４ｚ番目、１４ａ番目、１５ｂ番目、１５ｃ番目、１６ｄ番目、１６ｅ番目、１ｆ番目、１ａ番目、２ｂ番目、２ｃ番目、３ｄ番目、３ｅ番目、及び４ｆ番目のスロットの順に巻回され、前記補助巻線は１ａ番目のスロットに引入されて２ｂ番目、２ｃ番目、３ｄ番目、３ｅ番目、４ｆ番目、４ｇ番目、５ｈ番目、５ｉ番目、６ｊ番目、６ｋ番目、７ｌ番目、７ｍ番目、８ｎ番目、９ｑ番目、１０ｒ番目、１０ｓ番目、１１ｔ番目、１１ｕ番目、１２ｖ番目、１２ｗ番目、１３ｘ番目、１３ｙ番目、１４ｚ番目、１４ａ番目、１５ｂ番目、１５ｃ番目、及び１６ｄ番目スロットの順に巻回されることを特徴とする請求項８に記載の圧縮機用誘導電動機の固定子巻線方法。
【請求項１０】
　前記５ｉ、６ｊ番目スロットとの間で巻回される主巻線の巻回回数と、前記６ｋ番目及び７ｌ番目スロットとの間で巻回される主巻線の巻回回数と、７ｍ、８ｎ番目スロットとの間で巻回される主巻線の巻回回数と、前記８ｏ、９ｐ番目スロットとの間で巻回される主巻線の巻回回数と、前記９ｑ、１０ｒ番目スロットとの間で巻回される主巻線の巻回回数と、前記１０ｓ、１１ｔ番目スロットとの間で巻回される主巻線の巻回回数と、前記１１ｕ、１２ｖ番目スロットとの間で巻回される主巻線の巻回回数の比率は０．３５：０．５４：０．７５：１：０．７５：０．５４：０．３５であることを特徴とする請求項９に記載の圧縮機用誘導電動機の固定子巻線方法。
【請求項１１】
　単相２極１６スロットタイプの誘導電動機の固定子に形成された１６個の前記スロットに主巻線と補助巻線とを巻回する誘導電動機の固定子巻線方法において、
　前記主巻線と補助巻線とを、最初に引入されるスロットを基準にして隣接された５個のスロットを順次に経由するよう一定の規則に従って巻回し、４個の固定子スロットで前記主巻線と補助巻線とが重畳されるよう巻回することを特徴とする圧縮機用誘導電動機の固定子巻線方法。
【請求項１２】
　前記主巻線は、６ｋ番目のスロットに引入されて７ｌ番目、７ｍ番目
８ｎ番目、８ｏ番目、９ｐ番目、９ｑ番目、１０ｒ番目、１０ｓ番目、１１ｔ番目、１４ａ番目、１５ｂ番目、１５ｃ番目、１６ｄ番目、１６ｅ番目、１ｆ番目、１ａ番目、２ｂ番目、２ｃ番目、及び３ｄ番目スロットの順に巻回され、前記補助巻線は２ｃ番目スロットに引入されて３ｄ番目、３ｅ番目、４ｆ番目、４ｇ番目、５ｈ番目、５ｉ番目、６ｊ番目、６ｋ番目、７ｌ番目、１０ｓ番目、１１ｔ番目、１１ｕ番目、１２ｖ番目、１２ｗ番目、１３ｘ番目、１３ｙ番目、１４ｚ番目、１４ａ番目、及び１５ｂ番目スロットの順に巻回されることを特徴とする請求項１１に記載の圧縮機用誘導電動機の固定子巻線方法。
【請求項１３】
　前記６ｋ、７ｌ番目スロットとの間で巻回される主巻線の巻回回数と、前記８ｏ、９ｐ番目スロットとの間で巻回される主巻線の巻回回数と、１０ｓ、１１ｔ番目スロットとの間で巻回される主巻線の巻回回数の比率は０．７５：１：０．７５であることを特徴とする請求項１２に記載の圧縮機用誘導電動機の固定子巻線方法。
【請求項１４】
　単相４極１２スロットタイプの誘導電動機の固定子に形成された１２個の前記スロットに主巻線と補助巻線とを巻回する誘導電動機の固定子巻線方法において、
　前記主巻線と補助巻線とを、最初に引入されるスロットを基準にして隣接された２個のスロットを順次に経由するよう一定の規則に従って巻回し、４個の固定子スロットで前記主巻線と補助巻線とが重畳されるよう巻回することを特徴とする圧縮機用誘導電動機の固定子巻線方法。
【請求項１５】
　前記主巻線は、１ａ番目スロットに引入されて２ｂ番目、２ｃ番目、３ｄ番目、４ｇ番目、５ｈ番目、５ｉ番目、６ｊ番目、７ｍ番目、８ｎ番目、８ｏ番目、９ｐ番目、１０ｓ番目、１１ｔ番目、１１ｕ番目、及び１２ｖ番目スロットの順に巻回され、前記補助巻線は１２ｗ番目スロットに引入されて１ｘ番目、１ａ番目、２ｂ番目、３ｅ番目、４ｆ番目、４ｇ番目、５ｈ番目、６ｋ番目、７ｌ番目、７ｍ番目、８ｎ番目、９ｑ番目、１０ｒ番目、１０ｓ番目、及び１１ｔ番目スロットの順に巻回されることを特徴とする請求項１４に記載の圧縮機用誘導電動機の固定子巻線方法。
【請求項１６】
　３相２極１２スロットタイプの誘導電動機の固定子に形成された１２個の前記スロットに主巻線、補助巻線、及び速度制御巻線を巻回する誘導電動機の固定子巻線方法において、
　前記主巻線、補助巻線、及び速度制御巻線を、最初に引入されるスロットを基準にして隣接された３個のスロットを順次に経由するよう巻回し、２個の固定子スロットで前記主巻線及び補助巻線が重畳され、他の２個の固定子スロットで前記主巻線及び速度制御巻線が重畳され、更なる他の２個の固定子スロットで前記補助巻線及び速度制御巻線が重畳されるよう巻回することを特徴とする圧縮機用誘導電動機の固定子巻線方法。
【請求項１７】
　前記主巻線は２ｃ番目のスロットに引入されて３ｄ番目、３ｅ番目、４ｆ番目、４ｇ番目、５ｈ番目、８ｏ番目、９ｐ番目、９ｑ番目、１０ｒ番目、１０ｓ番目、及び１１ｔ番目スロットの順に巻回され、前記補助巻線は６ｋ番目のスロットに引入されて７ｌ番目、７ｍ番目、８ｎ番目、８ｏ番目、９ｐ番目、１２ｗ番目、１ｘ番目、１ａ番目、２ｂ番目、２ｃ番目、及び３ｄ番目スロットの順に巻回され、前記速度制御巻線は４ｇのスロットに引入されて５ｈ番目、５ｉ番目、６ｊ番目、６ｋ番目、７ｌ番目、１０ｓ番目、１１ｔ番目、１１ｕ番目、１２ｖ番目、１２ｗ番目、及び１ｘ番目スロットの順に巻回されることを特徴とする請求項１６に記載の圧縮機用誘導電動機の固定子巻線方法。
【請求項１８】
　前記２ｃ、３ｄ番目スロットとの間で巻回される主巻線の巻回回数と、前記３ｅ、４ｆ番目スロットとの間で巻回される主巻線の巻回回数と、４ｇ、５ｈ番目スロットとの間で巻回される主巻線の巻回回数の比率は０．７５：１：０．７５であることを特徴とする請求項１７に記載の圧縮機用誘導電動機の固定子巻線方法。
【発明の詳細な説明】
【技術分野】
【０００１】
　本発明は、圧縮機用誘導電動機の固定子巻線方法に関する。
【背景技術】
【０００２】
　密閉型往復動式圧縮機は、図１に示されたように、密閉ケース１０、密閉ケース１０内に設置される駆動源の電動機構部２０及び電動機構部２０から動力を受けて直線往復運動しながら冷媒を圧縮する圧縮機構部３０を含んで備えられる。電動機構部２０の回転動力は、偏心軸３１とコネクティングロッド３２からなるクランク機構により圧縮機構部３０のピストン３５に伝達され、ピストン３５がシリンダーブロック３３のボア内で直線往復運動をしつつ冷媒を吸入して圧縮する。
【０００３】
　電動機構部２０からは固定子と、この固定子との電気力による磁場の発生により回転される回転子で構成される誘導電動機が通常使用される。かかる流動電動機の固定子には、主巻線と補助巻線が電気角で90゜の極軸を有して巻回される。固定子に巻線された主巻線と補助巻線とに外部からの交流電源が認可されれば、電流による回転磁界の形成により主巻線より電気的に90゜で極軸が先んじた補助巻線が優先に回転しようという力が作用する。この時、前記補助巻線では直列接続されているコンデンサーにより電流位相が主巻線より先行するので高速回転がなされるようになる。
【０００４】
　図２は、一般の圧縮機に使われる誘導電動機を示した分解斜視図である。固定子２１には複数（図示例においては２４個）の固定子スロットが一定間隔を維持して形成されており、回転子２２にも複数個の回転子スロットが形成されている。固定子２１のスロットには、各々主巻線２３と補助巻線２４が巻回されており、回転子２２のスロットにも巻線が巻回されたり永久磁石などが挿入される。図面では図示を省略している。
【０００５】
　図３は、従来の誘導電動機の固定子２１の２４個スロット２１ａに主巻線２３及び補助巻線２４が巻回される順序を示した図である。同図に示されたように、従来の誘導電動機は主巻線２３と補助巻線２４が各々分布巻(同芯巻ともいう)形態をとる巻線構造を有するよう巻回されている。
【０００６】
　すなわち、主巻線２３は、１４番目スロットに引入されて１１番目、１５番目、１０番目、１６番目、９番目、１７番目、８番目、１８番目及び７番目スロットを次々に経由して巻線された後、再び２３番目スロットに引入されて２番目、２２番目、３番目、２１番目、４番目、２０番目、５番目、１９番目及び６番目スロットを次々に経由して巻線された後引出される巻線構造を成している。補助巻線２４は、１２番目スロットに引入されて１番目、１１番目、２番目、１０番目、３番目、９番目及び４番目のスロットを順に経由して巻線され、再び１３番目スロットに引入されて２４番目、１４番目、２３番目、１５番目、２２番目、１６番目及び２１番目スロットを順に経由して巻線された後引出される巻線構造を成している。
【０００７】
　このように従来の誘導電動機は、固定子の主巻線２３及び補助巻線２４が巻線引入スロットを基準に外側に向けて同芯的に巻線されたり、巻線引入スロットを基準に内側に向けて同芯的に巻線される分布巻形態の巻線構造を取っているためコイルエンドが長くならざるを得ない。これにより製造コストの上昇と銅損の原因にも繋がる問題がある。
【０００８】
　また、固定子の主巻線２３及び補助巻線２４が分布巻形態の巻線構造を成す従来の誘導電動機は、コイルエンドが長くなるのはもちろん巻線が固定子２１の両側に大きく突出することによって突出された巻線を整理するためのフォーミング、レーシング及び洗浄などの過程を経らなければならない。よって製作工程数の増加及び製作の難しさによる生産性低下の原因を提供するという問題もある。
【０００９】
　さらに、前記のような誘導電動機を採用した密閉型往復動式圧縮機は、固定子２１両側に主巻線及び補助巻線が大きく突出されるために、圧縮機のサイズが不要に大きくなるという問題もある。
【００１０】
　前述したような問題を解消するために本出願人により集中巻状の巻線構造を有する誘導電動機が出願され（出願番号：10−2002−06666、出願日：2002年2月6日）、図４はかかる誘導電動機での固定子巻線方法を示す展開図である。
【００１１】
　図４に示されたように、既出願された集中巻状の巻線構造を有する固定子巻線方法は、主巻線２３及び補助巻線２４が固定子２１の隣接するスロットを経由するように一定の規則に従って交互に直接巻回される集中巻状の巻線構造を成している。図４及び図５を参照すれば、主巻線２３は、固定子２１の１ａ番目スロットに引入されて２ｂ番目、４ｆ番目、３ｅ番目、５ｉ番目、６ｊ番目、８ｎ番目、及び７ｍ番目スロットの順に巻回されて外部に引出され、補助巻線２４は、固定子２１の２ｃ番目スロットに引入されて３ｄ番目、５ｈ番目、４ｇ番目、６ｋ番目、７ｌ番目、８ｏ番目、及び１ｐ番目スロットの順に巻回されて外部に引出される。
【００１２】
　これによれば、固定子２１のスロット２１ａを経由して巻回される主巻線２３及び補助巻線２４が集中巻状の巻線構造を有するため、コイルエンドが著しく短縮されて製造コスト及び銅損を低減させ得る。また、固定子２１のスロット２１ａに巻回された主巻線２３及び補助巻線２４が固定子２１の両側に大きく突出されていないため、固定子２１の両側に突出された主巻線２３及び補助巻線２４を整理するためのフォーミング、レーシング及び洗浄工程などを排除することができる。よって工程の単純化による製造の容易性が図れる。
【００１３】
　しかし、このような集中巻構造の固定子巻線方法は、前述の長点をもつものの、主巻線２３及び補助巻線２４がそれぞれ該当するスロットに集中して巻線されるため磁束の集中が起り得て多い高調波を発生させる短所を持つ。かかる高調波成分は誘導電動機にて高調波によるノイズ、不安な回転磁界、及び非同期トルクなどの機能障害を誘発させる要因になり、これによって電動機の効率が低下する。実験の結果、前述したような既出願された固定子巻線方法によれば、図６に示されたように、１０００ＲＰＭ近所でトルクが低下する高調波の影響による非同期トルクを誘発させることを発見した。
【発明の開示】
【発明が解決しようとする課題】
【００１４】
　本発明は前述のような点を勘案して案出したもので、磁束の集中現象を防止することによって磁束集中に伴う高調波成分の除去ができる圧縮機用誘導電動機の固定子巻線方法を提供することにある。
【課題を解決するための手段】
【００１５】
　前記目的を達成するために本発明に係る圧縮機用誘導電動機の固定子巻線方法は、主巻線と補助巻線とを固定子の隣接するスロットを経由するように一定の規則に従って集中巻状に巻回し、少なくとも２つ以上の任意のスロットで前記主巻線と補助巻線とが重畳されるよう巻回することを特徴とする。
【００１６】
　ここで、主巻線と補助巻線とが重なって巻回される重畳部は、単相２極８スロットの場合は４ヶ所、単相２極１２スロットの場合は８ヶ所、単相２極１６スロットの場合は４ヶ所または１２ヶ所、単相４極１２スロットの場合は４ヶ所、そして３相２極１２スロットの場合は６ヶ所ですることが好ましい。
【００１７】
　さらに、前記主巻線の巻回回数は一定の比率、例えば、単相２極８スロットの場合主巻線のみが巻回されるスロットでの主巻線の巻回回数と、主巻線と補助巻線が重畳されて巻回されるスロットにての主巻線の巻回回数の比率は１：０．７５を有するよう巻回されることが好ましい。
【００１８】
　本発明の好ましい実施例によれば、単相２極８スロットタイプの誘導電動機の固定子巻線方法は、主巻線と補助巻線とを、最初に引入されるスロットを基準にして隣接された３個のスロットを順次に経由するよう一定の規則に従って巻回し、４個の固定子スロットで前記主巻線と補助巻線とが重畳されるよう巻回することを特徴とする。
【００１９】
　ここで、前記主巻線は２ｃ番目スロットに引入されて３ｄ番目、３ｅ番目、４ｆ番目、４ｇ番目、５ｈ番目、６ｋ番目、７ｌ番目、７ｍ番目、８ｎ番目、８ｏ番目、及び１ｐ番目スロットの順に巻回され、前記補助巻線は４ｇ番目スロットに引入されて５ｈ番目、５ｉ番目、６ｊ番目、６ｋ番目、７ｌ番目、８ｏ番目、１ｐ番目、１ａ番目、１ｂ番目、２ｃ番目、及び３ｄ番目スロットの順に巻回され得る。
【００２０】
　本発明の良好な他の実施例によれば、単相２極１２スロットタイプの誘導電動機の固定子巻線方法は、主巻線と補助巻線とを、最初に引入されるスロットを基準にして隣接された５個のスロットを順次に経由するよう一定の規則に従って巻回し、８個の固定子スロットで前記主巻線と補助巻線とが重畳されるよう巻回することを特徴とする。
【００２１】
　ここで、前記主巻線は１ａ番目のスロットに引入されて２ｂ番目、２ｃ番目、３ｄ番目、３ｅ番目、４ｆ番目、４ｇ番目、５ｈ番目、５ｉ番目、６ｊ番目、７ｍ番目、８ｎ番目、８ｏ番目、９ｐ番目、９ｑ番目、１０ｒ番目、１０ｓ番目、１１ｔ番目、１１ｕ番目、及び１２ｖ番目スロットの順に巻回され、前記補助巻線は４ｇ番目スロットに引入されて５ｇ番目、５ｉ番目、６ｊ番目、６ｋ番目、７ｌ番目、７ｍ番目、８ｎ番目、８ｏ番目、９ｐ番目、１０ｓ番目、１１ｔ番目、１１ｕ番目、１２ｖ番目、１２ｗ番目、１ｘ番目、１ａ番目、２ｂ番目、２ｃ番目、及び３ｄ番目スロットの順に巻回され得る。
【００２２】
　本発明の良好な更なる実施例によれば、単相２極１６スロットタイプの誘導電動機の固定子巻線方法は、主巻線と補助巻線とを、最初に引入されるスロットを基準にして隣接された７個のスロットを順次に経由するよう一定の規則に従って巻回し、１２個の固定子スロットで前記主巻線と補助巻線とが重畳されるよう巻回することを特徴とする。
【００２３】
　ここで、前記主巻線は５ｉ番目のスロットに引入されて６ｊ番目、６ｋ番目、７ｌ番目、７ｍ番目、８ｎ番目、８ｏ番目、９ｐ番目、９ｑ番目、１０ｒ番目、１０ｓ番目、１１ｔ番目、１１ｕ番目、１２ｖ番目、１３ｙ番目、１４ｚ番目、１４ａ番目、１５ｂ番目、１５ｃ番目、１６ｄ番目、１６ｅ番目、１ｆ番目、１ａ番目、２ｂ番目、２ｃ番目、３ｄ番目、３ｅ番目、及び４ｆ番目スロットの順に巻回され、前記補助巻線は１ａ番目のスロットに引入されて２ｂ番目、２ｃ番目、３ｄ番目、３ｅ番目、４ｆ番目、４ｇ番目、５ｈ番目、５ｉ番目、６ｊ番目、６ｋ番目、７ｌ番目、７ｍ番目、８ｎ番目、９ｑ番目、１０ｒ番目、１０ｓ番目、１１ｔ番目、１１ｕ番目、１２ｖ番目、１２ｗ番目、１３ｘ番目、１３ｙ番目、１４ｚ番目、１４ａ番目、１５ｂ番目、１５ｃ番目、及び１６ｄ番目スロットの順に巻回され得る。
【００２４】
　本発明の良好な他の実施例によれば、単相２極１６スロットタイプの誘導電動機の固定子巻線方法は、主巻線と補助巻線とを、最初に引入されるスロットを基準にして隣接された５個のスロットを順次に経由するよう一定の規則に従って巻回し、４個の固定子スロットで前記主巻線と補助巻線とが重畳されるよう巻回することを特徴とする。
【００２５】
　ここで前記主巻線は６ｋ番目のスロットに引入されて７ｌ番目、７ｍ番目、８ｎ番目、８ｏ番目、９ｐ番目、９ｑ番目、１０ｒ番目、１０ｓ番目、１１ｔ番目、１４ａ番目、１５ｂ番目、１５ｃ番目、１６ｄ番目、１６ｅ番目、１ｆ番目、１ａ番目、２ｂ番目、２ｃ番目、及び３ｄ番目スロットの順に巻回され、前記補助巻線は２ｃ番目スロットに引入されて３ｄ番目、３ｅ番目、４ｆ番目、４ｇ番目、５ｈ番目、５ｉ番目、６ｊ番目、６ｋ番目、７ｌ番目、１０ｓ番目、１１ｔ番目、１１ｕ番目、１２ｖ番目、１２ｗ番目、１３ｘ番目、１３ｙ番目、１４ｚ番目、１４ａ番目、及び１５ｂ番目スロットの順に巻回され得る。
【００２６】
　本発明の良好な他の実施例によれば、単相４極１２スロットタイプの誘導電動機の固定子巻線方法は、主巻線と補助巻線とを、最初に引入されるスロットを基準にして隣接された２個のスロットを順次に経由するよう一定の規則に従って巻回し、４個の固定子スロットで前記主巻線と補助巻線とが重畳されるよう巻回することを特徴とする。
【００２７】
　ここで前記主巻線は１ａ番目スロットに引入されて２ｂ番目、２ｃ番目、３ｄ番目、４ｇ番目、５ｈ番目、５ｉ番目、６ｊ番目、７ｍ番目、８ｎ番目、８ｏ番目、９ｐ番目、１０ｓ番目、１１ｔ番目、１１ｕ番目、及び１２ｖ番目スロットの順に巻回され、前記補助巻線は１２ｗ番目のスロットに引入されて１ｘ番目、１ａ番目、２ｂ番目、３ｅ番目、４ｆ番目、４ｇ番目、５ｈ番目、６ｋ番目、７ｌ番目、７ｍ番目、８ｎ番目、９ｑ番目、１０ｒ番目、１０ｓ番目、及び１１ｔ番目スロットの順に巻回され得る。
【００２８】
　本発明の良好な他の実施例によれば、３相２極１２スロットタイプの誘導電動機の固定子巻線方法は、主巻線、補助巻線、及び速度制御巻線を、最初に引入されるスロットを基準にして隣接された３個のスロットを順次に経由するよう巻回し、２個の固定子スロットで前記主巻線及び補助巻線が重畳され、他の２個の固定子スロットで前記主巻線及び速度制御巻線が重畳され、また他の２個の固定子スロットで前記補助巻線及び速度制御巻線が重畳されるよう巻回することを特徴とする。
【００２９】
　ここで前記主巻線は２ｃ番目のスロットに引入されて３ｄ番目、３ｅ番目、４ｆ番目
４ｇ番目、５ｈ番目、８ｏ番目、９ｐ番目、９ｑ番目、１０ｒ番目、１０ｓ番目、及び１１ｔ番目スロットの順に巻回され、前記補助巻線は６ｋ番目のスロットに引入されて７ｌ番目、７ｍ番目、８ｎ番目、８ｏ番目、９ｐ番目、１２ｗ番目、１ｘ番目、１ａ番目、２ｂ番目、２ｃ番目、及び３ｄ番目スロットの順に巻回され、前記速度制御巻線は４ｇ番目スロットに引入されて５ｈ番目、５ｉ番目、６ｊ番目、６ｋ番目、７ｌ番目
、１０ｓ番目、１１ｔ番目、１１ｕ番目、１２ｖ番目、１２ｗ番目、及び１ｘ番目スロットの順に巻回され得る。
【発明の効果】
【００３０】
　以上で説明したように本発明の実施例によれば、固定子のスロットを経由して巻回される主巻線及び補助巻線が集中巻状の巻線構造を成すため、コイルエンドが著しく短縮されるので材料費を低減させることができ、また、銅損を減らすことができて電動機の効率を大きく改善させ得る。
【００３１】
　また、本発明によれば、固定子のスロットに巻回された主巻線及び補助巻線が固定子の両側に大きく突出されないため、従来のように固定子の両側に突出された主巻線及び補助巻線を整理するためのフォーミング、レーシング及び洗浄工程が排除できるので電動機製造工程の単純化を図ることができると共に、これによる製作上の便利性で生産性向上を図ることができる。
【００３２】
　また、本発明に係る単相誘導電動機を密閉型往復動式圧縮機に適用すれば、単相誘導電動機の固定子の両側に主巻線や補助巻線が大きく突出されないので圧縮機のサイズを小さくできるという効果もある。
【００３３】
　さらに、本発明によれば、主巻線及び補助巻線が該当するスロットに集中して巻線されるため巻線されず、要求されるいくつかのスロットで主巻線及び補助巻線が重畳して巻線されるので、従来のような磁束の集中現象が発生しない。従って、磁束の集中によって発生される高調波成分を除去でき、より安定された回転磁界を得ることができる。また、非同期トルクの発生を除去できるなど、単相誘導電動機の効率を著しく改善させ得る。
【発明を実施するための最良の形態】
【００３４】
　前述した目的及び他の特徴につき、添付図面を参照しながら発明の良好な実施例を詳説する。
【００３５】
　図７は、本発明に係る固定子巻線方法が適用された圧縮機用誘導電動機の巻線配置例を示す横断面図であり、図面にて参照符号２１は固定子、２２は回転子、２１ａは固定子スロット、２２ａは回転子スロット、２３は主巻線、そして２４は補助巻線である。図７に示されているように、固定子２１には１２個の固定子スロット２１ａが形成されており、固定子スロット２１ａには主巻線２３と補助巻線２４が一定の規則に従って巻回されている。
【００３６】
　本発明に係る固定子巻線方法の特徴は、図７及び図８のように、主巻線２３と補助巻線２４が最初引入された任意のスロットを基準にしてこれと隣接した所定個数（図示例では５個）のスロットを順次に経由するよう集中巻状に巻回され、主巻線２３と補助巻線２４は示されているように４ヶ所で相互重畳するよう巻回され得る。
【００３７】
　図７及び図８は、単相２極１２スロットタイプの誘導電動機に本発明の巻線方法が適用された例を示したものである。３ｅ番目スロットと４ｆ番目スロットとの間、９ｑ番目スロットと１０ｒ番目スロットとの間は主巻線２３のみが、そして、６ｋ番目スロットと７ｌ番目スロットとの間、１ｘ番目スロットと１２ｗ番目スロットとの間には補助巻線２４のみが巻線されている。その他のスロット、例えば、１ａ番目と２ｂ番目スロット、２ｃ番目と３ｄ番目のスロット、４ｇ番目と５ｈ番目スロット、５ｉ番目と６ｊ番目スロット、７ｍ番目と８ｎ番目スロット、８ｏ番目と９ｐ番目スロット、１０ｓ番目と１１ｔ番目スロット、１１ｕ番目と１２ｖ番目スロットとの間には主巻線２３と補助巻線２４とが重畳して巻回されている。
【００３８】
　即ち、本出願人によって既出願された図５のような集中巻線構造では、主巻線２３と補助巻線２４とがそれぞれ該当するスロットに集中して巻線されることによって磁束集中の高調波成分が生じ得るが、本発明によれば主巻線２３と補助巻線２４とが複数のスロットで重畳し巻回されるので図５のように、主巻線２３と補助巻線２４が集中されず全スロットに均一に布陣されるので磁束の集中現象をその分緩和させ得る。よって、磁束の集中によって発生される高調波成分を大幅減らせる。
【００３９】
　このような本発明の巻線方法によって高調波成分が大きく減少する原理を図９Ａ及び図９Ｂを参照して説明する。
【００４０】
　図９Ａは、図５に示されたよう本出願人により既出された集中巻線構造を有する誘導電動機の起磁力波形図を示す。ここで、主巻線部の起磁力波形３５と補助巻線部の起磁力波形３６が重なった起磁力波形３７が誘導機に影響を及ぼす起磁力になる。同図から分かるように、合成起磁力波形３７が矩形波のようになるので高調波成分が多いのである。
【００４１】
　反面、図９Ｂの本発明に係る固定子巻線方法が適用された誘導電動機からの主巻線部の起磁力波形３８と補助巻線部の起磁力波形３９の合成起磁力波形４０は正弦波に近いのが分かる。本発明によれば合成起磁力波形４０が正弦波に近くなるので、高調波成分が大きく減少され得る。
【００４２】
　実際に実験の結果、図６と図１０のＴ―Ｎカーブの比較グラフのように本発明の固定子巻線方法を適用した場合非同期トルクの影響が現れなかった。
【００４３】
　前記のような本発明の一実施例による固定子巻線方法で主巻線２３は図８に示されているように、１ａ番目スロットに引入されて２ｂ番目、２ｃ番目、３ｄ番目、３ｅ番目、４ｆ番目、４ｇ番目、５ｈ番目、５ｉ番目、６ｊ番目、７ｍ番目、８ｎ番目、８ｏ番目、９ｐ番目、９ｑ番目、１０ｒ番目、１０ｓ番目、１１ｔ番目、１１ｕ番目、及び１２ｖ番目スロットの順に巻回され、補助巻線２４は４ｇ番目スロットに引入されて５ｇ番目、５ｉ番目、６ｊ番目、６ｋ番目、７ｌ番目、７ｍ番目、８ｎ番目、８ｏ番目、９ｐ番目、１０ｓ番目、１１ｔ番目、１１ｕ番目、１２ｖ番目、１２ｗ番目、１ｘ番目、１ａ番目、２ｂ番目、２ｃ番目、及び３ｄ番目スロットの順に巻回される。
【００４４】
　前記のような方法に従って主巻線２３と補助巻線２４とを固定子の多数個のスロットに巻回すると、結果的には、１ａ番目と２ｂ番目スロット、２ｃ番目と３ｄ番目スロット、４ｇ番目と５ｈ番目スロット、５ｉ番目と６ｊ番目スロット、７ｍ番目と８ｎ番目スロット、８ｏ番目と９ｐ番目スロット、１０ｓ番目と１１ｔ番目スロット、１１ｕ番目と１２ｖ番目スロットとの間には、主巻線２３と補助巻線２４とが重畳して巻回される。つまり、固定子スロットの全体に渡って主巻線２３と補助巻線２４とが均一に分布されることによって起磁力波形が正弦波に近くなって磁束集中現象を緩和させ得る。
【００４５】
　つまり、図８にて主巻線２３のみが巻回されている３ｅ番目と４ｆ番目スロットの巻回回数を１００回とすると、主巻線２３と補助巻線２４が重畳され巻回された２ｃ番目と３ｄ番目スロット及び４ｇ番目と５ｈ番目スロットの主巻線２３の巻回回数は７５回、そして１ａ番目と２ｂ番目スロット及び５ｉ番目と６ｊ番目との間のスロットの巻回回数が３５回になる場合、起磁力波形の正弦分布特性をより改善でき高調波成分をさらに減少させることができる。
【実施例】
【００４６】
　添付した図１１は本発明の好ましい他の実施例を示したもので、単相２極８スロットタイプの誘導電動機の固定子に形成された８個のスロットに主巻線２３と補助巻線２４とを巻回する方法を示した展開図である。
【００４７】
　本実施例の固定子巻線方法は、主巻線２３と補助巻線２４が最初に引入されるスロットを基準にして隣接された３個のスロットを順次に経由するように一定の規則に従って巻回され、図示されたように、主巻線２３と補助巻線２４が４ヶ所で重畳されるよう巻回されている。
【００４８】
　さらに詳しくは、主巻線２３は２ｃ番目スロットに引入されて３ｄ番目、３ｅ番目、４ｆ番目、４ｇ番目、５ｈ番目、６ｋ番目、７ｌ番目、７ｍ番目、８ｎ番目、８ｏ番目、及び１ｐ番目スロットの順に巻回され、補助巻線２４は４ｇ番目スロットに引入され５ｈ番目、５ｉ番目、６ｊ番目、６ｋ番目、７ｌ番目、８ｏ番目、１ｐ番目、１ａ番目、１ｂ番目、２ｃ番目、及び３ｄ番目スロットの順に巻回される。これにより、前記２ｃ番目と３ｄ番目スロットとの間、４ｇ番目と５ｈ番目スロットとの間、６ｋ番目と７ｌ番目スロットとの間、８ｏ番目と１ｐ番目スロットとの間には主巻線２３と補助巻線２４が重畳されて巻回される。
【００４９】
　この際、主巻線２３は、一定の巻回比率で巻線されることが好ましい。主巻線２３のみが巻回されている３ｅ番目と４ｆ番目スロットの巻回回数を１００回とすると、主巻線２３と補助巻線２４が重畳され２ｃ番目と３ｄ番目スロット及び４ｇ番目と５ｈ番目スロットの主巻線２３の巻回回数は７５回巻回されることが好ましい。
【００５０】
　添付した図１２は本発明の好ましい他の実施例を示したもので、単相２極１６スロットタイプの誘導電動機の固定子に形成された１６個の前記スロットに主巻線２３と補助巻線２４とを巻回する方法を示した展開図である。
【００５１】
　本実施例の固定子巻線方法は、主巻線２３と補助巻線２４が最初に引入されるスロットを基準にして隣接された７個のスロットを順次に経由するように一定の規則に従って巻回され、１２個の固定子スロットで主巻線２３と補助巻線２４が重畳されるよう巻回されている。
【００５２】
　さらに詳しくは、主巻線２３は５ｉ番目スロットに引入されて６ｊ番目、６ｋ番目、７ｌ番目、７ｍ番目、８ｎ番目、８ｏ番目、９ｐ番目、９ｑ番目、１０ｒ番目、１０ｓ番目、１１ｔ番目、１１ｕ番目、１２ｖ番目、１３ｙ番目、１４ｚ番目、１４ａ番目、１５ｂ番目、１５ｃ番目、１６ｄ番目、１６ｅ番目、１ｆ番目、１ａ番目、２ｂ番目、２ｃ番目、３ｄ番目、３ｅ番目、及び４ｆ番目スロットの順に巻回され、補助巻線２４は１ａ番目スロットに引入され２ｂ番目、２ｃ番目、３ｄ番目、３ｅ番目、４ｆ番目、４ｇ番目、５ｈ番目、５ｉ番目、６ｊ番目、６ｋ番目、７ｌ番目、７ｍ番目、８ｎ番目、９ｑ番目、１０ｒ番目、１０ｓ番目、１１ｔ番目、１１ｕ番目、１２ｖ番目、１２ｗ番目、１３ｘ番目、１３ｙ番目、１４ｚ番目、１４ａ番目、１５ｂ番目、１５ｃ番目、及び１６ｄ番目スロットの順に巻回される。これにより前記１ａ番目と２ｂ番目スロット、２ｃ番目と３ｄ番目スロット、３ｅ番目と４ｆ番目スロット、５ｉ番目と６ｊ番目スロット、６ｋ番目と７ｌ番目スロット、７ｍ番目と８ｎ番目スロット、９ｑ番目と１０ｒ番目スロット、１０ｓ番目と１１ｔ番目スロット、１１ｕ番目と１２ｖ番目スロット、１３ｙ番目と１４ｚ番目スロット、１４ａ番目と１５ｂ番目スロット、１５ｃ番目と１６ｄ番目スロットとの間では主巻線２３と補助巻線２４が重畳されて巻回される。
【００５３】
　この際、主巻線２３は、一定の巻回比率で巻線されることが好ましい。主巻線２３のみが巻回されている８ｏ番目と９p番目スロットの巻回回数を１００回とすると、主巻線２３と補助巻線２４が重畳され巻回された７ｍ番目と８ｎ番目スロット及び９ｑ番目と１０ｒ番目スロットの主巻線２３の巻回回数は７５回、６ｋ番目と７ｌ番目スロット及び１０ｓ番目と１１ｔ番目との間のスロットの巻回回数は５４回、そして、５ｉ番目と６ｊ番目スロット及び１１ｕ番目と１２ｖ番目との間のスロットの巻回回数は３５回になる場合起磁力波形の正弦分布特性をより改善させることができ高調波成分をさらに減少させることができる。
【００５４】
　一方、前記のような単相２極１６スロットタイプ誘導電動機の固定子巻線方法では、図１３に示されたように、主巻線２３と補助巻線２４が最初に引入されるスロットを基準にして隣接された５個のスロットを順次に経由するように一定の規則に従って巻回され、主巻線２３と補助巻線２４は図示されたように４ヶ所で相互重畳されるよう巻回されることができる。
【００５５】
　ここで、主巻線２３は６ｋ番目５スロットに引入されて７ｌ番目、７ｍ番目、８ｎ番目、８ｏ番目、９ｐ番目、９ｑ番目、１０ｒ番目、１０ｓ番目、１１ｔ番目、１４ａ番目、１５ｂ番目、１５ｃ番目、１６ｄ番目、１６ｅ番目、１ｆ番目、１ａ番目、２ｂ番目、２ｃ番目、及び３ｄ番目スロットの順に巻回され、補助巻線２４は２ｃ番目スロットに引入されて３ｄ番目、３ｅ番目、４ｆ番目、４ｇ番目、５ｈ番目、５ｉ番目、６ｊ番目、６ｋ番目、７ｌ番目、１０ｓ番目、１１ｔ番目、１１ｕ番目、１２ｖ番目、１２ｗ番目、１３ｘ番目、１３ｙ番目、１４ｚ番目、１４ａ番目、及び１５ｂ番目スロットの順に巻回される。これにより前記２ｃ番目と３ｄ番目スロット、６ｋ番目と７ｌ番目スロット、１０ｓ番目と１１ｔ番目スロット、１４ａ番目と１５ｂ番目スロットとの間には主巻線２３と補助巻線２４が重畳され巻回される。
【００５６】
　主巻線２３は、一定の巻回比率で巻線されることが好ましい。主巻線２３のみが巻回されている７ｍ番目と８ｎ番目スロット、８ｏ番目と９ｐ番目スロット、９ｑ番目と１０ｓ番目スロットの巻回回数を１００回とすると、主巻線２３と補助巻線２４が重畳され巻回された６ｋ番目と７ｌ番目スロット及び１０ｓ番目と１１ｔ番目スロットの主巻線２３の巻回回数は７５回になる場合、起磁力波形の正弦分布特性をより改善させることができ高調波成分をさらに減少させることができる。
【００５７】
　添付された図１４は本発明の好ましい更なる実施例を示したもので、単相４極１２スロットタイプの誘導電動機の固定子に形成された１２個の前記スロットに主巻線２３と補助巻線２４とを巻回する方法を示した展開図である。
【００５８】
　本実施例の固定子巻線方法では、主巻線２３と補助巻線２４が最初に引入されるスロットを基準にして隣接された２個のスロットを順次に経由するように一定の規則に従って巻回され、４個の固定子スロットで主巻線２３と補助巻線２４が重畳されるよう巻回されている。
【００５９】
　さらに詳しくは、主巻線２３は１ａ番目スロットに引入されて２ｂ番目、２ｃ番目、３ｄ番目、４ｇ番目、５ｈ番目、５ｉ番目、６ｊ番目、７ｍ番目、８ｎ番目、８ｏ番目、９ｐ番目、１０ｓ番目、１１ｔ番目、１１ｕ番目、及び１２ｖ番目スロットの順に巻回され、補助巻線２４は１２ｗ番目スロットに引入されて１ｘ番目、１ａ番目、２ｂ番目、３ｅ番目、４ｆ番目、４ｇ番目、５ｈ番目、６ｋ番目、７ｌ番目、７ｍ番目、８ｎ番目、９ｑ番目、１０ｒ番目、１０ｓ番目、及び１１ｔ番目スロットの順に巻回される。これにより前記１ａ番目と２ｂ番目スロット、４ｇ番目と５ｈ番目スロット、７ｍ番目と８ｎ番目スロット、１０ｓ番目と１１ｔ番目スロットとの間には、主巻線２３と補助巻線２４が重畳され巻回される。
【００６０】
　最後に、添付された図１５は本発明の好ましい更なる実施例を示したもので、３相２極１２スロットタイプの誘導電動機の固定子に形成された１２個の前記スロットに主巻線２３、補助巻線２４、及び速度制御巻線２５を巻回する方法を示した展開図である。
【００６１】
　図示されたように、本実施例にては主巻線２３、補助巻線２４及び速度制御巻線２５が最初に引入されるスロットを基準にして隣接された３個のスロットを順次に経由するように巻回され、２個の固定子スロットで主巻線２３と補助巻線２４が重畳され他の２個の固定子スロットで主巻線２３と速度制御巻線２５が重畳される。さらに他の２個の固定子スロットで補助巻線２４と速度制御巻線２５が重畳されるよう巻回される。
【００６２】
　さらに詳しくは、主巻線２３は２ｃ番目のスロットに引入されて３ｄ番目、３ｅ番目、４ｆ番目、４ｇ番目、５ｈ番目、８ｏ番目、９ｐ番目、９ｑ番目、１０ｒ番目、１０ｓ番目、及び１１ｔ番目スロットの順に巻回され、補助巻線２４は６ｋ番目のスロットに引入されて７ｌ番目、７ｍ番目、８ｎ番目、８ｏ番目、９ｐ番目、１２ｗ番目、１ｘ番目、１ａ番目、２ｂ番目、２ｃ番目、及び３ｄ番目スロットの順に巻回され、速度制御巻線２５は４ｇ番目スロットに引入されて５ｈ番目、５ｉ番目、６ｊ番目、６ｋ番目、７ｌ番目、１０ｓ番目、１１ｔ番目、１１ｕ番目、１２ｖ番目、１２ｗ番目、及び１ｘ番目スロットの順で巻回される。これにより前記４ｇ番目と５ｈ番目スロット、１０ｓ番目と１１ｔ番目スロットとの間では主巻線２３と速度制御巻線２５とが重畳され、前記２ｃ番目と３ｄ番目スロット、８ｏ番目と９ｐ番目スロットとの間には主巻線２３と補助巻線２４とが重畳される。さらに、６ｋ番目と７ｌ番目スロット、１２ｗ番目と１ｘ番目スロットとの間には補助巻線２４と速度制御巻線２５が重畳され巻回される。
【００６３】
　尚、主巻線２３は一定の巻回比率で巻線されることが好ましい。主巻線２３のみが巻回されている３ｅ番目と４ｆ番目スロットの巻回回数を１００回とすると、主巻線２３と補助巻線２４が重畳され巻回された２ｃ番目と３ｄ番目スロット及び主巻線２３と速度制御巻線２５が巻回された４ｇ番目と５ｈ番目スロットの主巻線２３の巻回回数が７５回になる場合、起磁力波形の正弦分布特性をより改善させることができ高調波成分をさらに減少させることができる。
【００６４】
　以上で説明した本発明の種々の良好な実施例にて誘導電動機の種類によって相違に適用される固定子巻線方法について詳説したが、本発明の実施例によってその固定子巻線方法での差異は見られるものの、かかる巻線方法によって固定子の多数のスロットに主巻線及び補助巻線が巻回された固定子が適用された誘導電動機はいずれの場合においても、前もって説明した本発明の一実施例と同一な適用効果を発揮する。
【００６５】
　以上、本発明を本発明の原理を例示するための良好な実施例と関連して説明し示したが、本発明はそのように示しかつ説明されたそのままの構成及び作用に限られない。かえって、特許請求の範囲の思想及び範疇を逸脱せず多様な変更及び修正が可能であることを当業者らはよく理解できろう。従って、そのような全ての適切な変更及び修正と均等物も本発明の範囲に属すると見なされるべきである。
【産業上の利用可能性】
【００６６】
　本発明は家電製品用の冷凍サイクルを構成する圧縮機の製造に用いられ、その外の電動機の製造においてもコストの低減及び信頼性向上の目的にも有利に用いられる。
【図面の簡単な説明】
【００６７】
【図１】一般的の密閉型往復動式圧縮機を概略的に示す断面図である。
【図２】図１の圧縮機で誘導電動機だけを抜萃して示す分解斜視図である。
【図３】従来の誘導電動機の固定子巻線方法を説明するための展開図である。
【図４】本出願人により既出願された誘導電動機の固定子巻線方法を説明するための展開図である。
【図５】図４の巻線方法が適用された誘導電動機の横断面図である。
【図６】図４の固定子巻線方法が適用された誘導電動機のＴ−Ｎカーブを示すグラフである。
【図７】本発明の一実施例による固定子巻線方法が適用された圧縮機用誘導電動機の横断面図である。
【図８】本発明の一実施例による固定子巻線方法を説明するための展開図である。
【図９Ａ】図５に示す一般の集中巻線構造が適用された誘導電動機と図７に示す本発明に係る固定子巻線方法が適用された誘導電動機の合成起磁力波形を比較するために示す起磁力波形図である。
【図９Ｂ】図５に示す一般の集中巻線構造が適用された誘導電動機と図７に示す本発明に係る固定子巻線方法が適用された誘導電動機の合成起磁力波形を比較するために示す起磁力波形図である。
【図１０】本発明の固定子巻線方法が適用された誘導電動機のＴ−Ｎカーブを示すグラフである。
【図１１】単相２極８スロットタイプの誘導電動機の固定子に本発明の巻線方法を適用する場合の巻線配置例を示す展開図である。
【図１２】単相２極１６スロットタイプの誘導電動機の固定子に本発明の巻線方法を適用する場合の巻線配置の一例を示す展開図である。
【図１３】単相２極１６スロットタイプの誘導電動機の固定子に本発明の巻線方法を適用する場合の巻線配置の他の例を示す展開図である。
【図１４】単相４極１２スロットタイプの誘導電動機の固定子に本発明の巻線方法を適用する場合の巻線配置例を示す展開図である。
【図１５】３相２極１２スロットタイプの誘導電動機の固定子に本発明の巻線方法を適用する場合の巻線配置例を示す展開図である。
【符号の説明】
【００６８】
２１　　固定子
２１ａ　固定子スロット
２２　　回転子
２２ａ　回転子スロット
２３　　主巻線
２４　　補助巻線
３５、３６、３７、３８、３９、４０　起磁力波形
【図１】
2004120997.tif 000003
【図２】
2004120997.tif 000004
【図３】
2004120997.tif 000005
【図４】
2004120997.tif 000006
【図５】
2004120997.tif 000007
【図６】
2004120997.tif 000008
【図７】
2004120997.tif 000009
【図８】
2004120997.tif 000010
【図９Ａ】
2004120997.tif 000011
【図９Ｂ】
2004120997.tif 000012
【図１０】
2004120997.tif 000013
【図１１】
2004120997.tif 000014
【図１２】
2004120997.tif 000015
【図１３】
2004120997.tif 000016
【図１４】
2004120997.tif 000017
【図１５】
2004120997.tif 000018